(57)【要約】【課題】  止め輪がころ軸受から外れるのを防止することができるとともに、止め輪を容易に組み付けることができるころ軸受を提供する。【解決手段】  円筒ころ４の脱落を防止するための止め輪６を環状部６ａにより無端環状に形成し、この環状部６ａの外周面に径方向へ窪むように複数の切欠部６ｂを形成する。【選択図】  図１
2010286097.tif 000002
【特許請求の範囲】
【請求項１】
外周面に軌道面を有する内輪と、
内周面に軌道面を有する外輪と、
前記内輪の軌道面と前記外輪の軌道面との間に転動可能に配置された複数のころと、
前記外輪の内周面に、周方向に形成された環状の取付溝と、
前記取付溝に取り付けられ、ころの脱落を防止する止め輪と、を備えたころ軸受において、
前記止め輪は、無端環状に形成された環状部と、当該環状部の外周面または内周面に径方向へ窪むように形成された複数の切欠部と、を有することを特徴とするころ軸受。
【請求項２】
前記複数の切欠部の周方向の合計長さが、当該切欠部が形成された前記環状部の外周面または内周面の全周長さの４５〜７５％とされている請求項１に記載のころ軸受。
【発明の詳細な説明】
【技術分野】
【０００１】
本発明は、内輪と外輪との間に複数のころを転動可能に配置している総ころ形のころ軸受に関する。
【背景技術】
【０００２】
従来、産業機械や鉄鋼、建設機械等に用いられる軸受においては、作用する荷重が大きい場合、軸受を大型化することなく軸受の負荷容量を大きくとるために、保持器を無くして、ころ数を増大した総ころ形のころ軸受が使用されている。
このようなころ軸受の一種である円筒ころ軸受は、内外輪の軸方向の端部に形成された環状の鍔部で円筒ころの円周方向への転走を案内するが、軸受の組立、分解が行えるように、内外輪の軸方向両端部のうちの少なくとも一方の端部が鍔無しとされるものが知られている。
しかし、これでは外輪または内輪が軸方向にずれることによって円筒ころが脱落するおそれがあるので、つば無しとされた端部の周面に周方向に連続する取付溝を設け、この取付溝に周方向の一部が切断されたＣ形の止め輪を嵌合することにより、円筒ころが脱落するのを防止している（例えば、特許文献１参照）。
【先行技術文献】
【特許文献】
【０００３】
【特許文献１】特開平９−１７７７７０号公報
【発明の概要】
【発明が解決しようとする課題】
【０００４】
しかしながら、上記円筒ころ軸受にあっては、止め輪は、周方向の一部が切断されているため、その剛性が低下し、取付け溝から外れ易いという問題があった。そこで、上記問題を解決するために、止め輪を無端環状に形成すれば、剛性を高めることができ、止め輪が取付け溝から外れるのを防止することができる。しかし、無端環状に形成された止め輪は、その剛性が高くなり過ぎることから、取付け溝への組み付けが困難になるという新たな問題が生じる。
そこで、本発明はこのような事情に鑑みてなされたものであり、止め輪がころ軸受から外れるのを防止することができるとともに、止め輪を容易に組み付けることができるころ軸受を提供することを目的とする。
【課題を解決するための手段】
【０００５】
上記目的を達成するための本発明は、外周面に軌道面を有する内輪と、内周面に軌道面を有する外輪と、前記内輪の軌道面と前記外輪の軌道面との間に転動可能に配置された複数のころと、前記外輪の内周面に、周方向に形成された環状の取付溝と、前記取付溝に取り付けられ、ころの脱落を防止する止め輪と、を備えたころ軸受において、前記止め輪は、無端環状に形成された環状部と、当該環状部の外周面または内周面に径方向へ窪むように形成された複数の切欠部と、を有することを特徴としている。
【０００６】
上記のように構成されたころ軸受によれば、止め輪は、無端環状に形成された環状部を有しているため、従来のように止め輪の周方向の一部を切断する場合と比べると、止め輪の剛性を高めることができる。したがって、止め輪がころ軸受から外れるのを防止することができる。また、環状部の外周面に径方向へ窪む複数の切欠部を形成しているため、止め輪の径方向の厚みを部分的に薄くすることができる。したがって、止め輪を取付溝に組み付ける際、止め輪を径方向へ撓ませ易くなるので、取付溝に容易に組み付けることができる。
【０００７】
また、前記複数の切欠部の周方向の合計長さが、当該切欠部が形成された前記環状部の外周面または内周面の全周長さの４５〜７５％とされていることが好ましい。この場合、止め輪の適正な剛性を確保しながら、止め輪の組み付けをさらに容易に行うことができる。
【発明の効果】
【０００８】
本発明のころ軸受によれば、止め輪の剛性を高めることができるので、止め輪がころ軸受から外れるのを防止することができる。このため、ころがころ軸受から脱落するのを効果的に防止することができる。また、環状部の外周面または内周面に形成した切欠部によって、止め輪を径方向へ撓ませ易くすることができるので、止め輪を取付溝に容易に組み付けることができる。
【図面の簡単な説明】
【０００９】
【図１】本発明の一実施形態に係るころ軸受を示す断面図である。
【図２】上記ころ軸受の止め輪を示す正面図である。
【図３】図２の要部拡大図である。
【発明を実施するための形態】
【００１０】
次に、本発明の好ましい実施形態について添付図面を参照しながら説明する。
図１は、本発明の一実施形態に係るころ軸受を示す断面図である。このころ軸受１は総ころ形の円筒ころ軸受であり、図示しない回転軸に固定される両鍔付きの内輪２と、図示しないハウジングに固定される片鍔付きの外輪３と、内輪２と外輪３との間に転動可能に配置された複数のころである円筒ころ４とを備えている。
【００１１】
内輪２は、外周面の軸方向中央部に円筒ころ４を転動させる軌道面２ａが形成され、外周面の軸方向両端部には、外輪３側に突出する鍔部２ｂが一体形成されている。外輪３は、内周面の軸方向中央部に円筒ころ４を転動させる軌道面３ａが形成され、内周面の軸方向一方側（図１の左側）の端部には、内輪２側に突出する鍔部３ｂが一体形成されている。
外輪３の内周面の軸方向他方側（図１の右側）の鍔なし部分には、周方向に連続する環状の取付溝５が形成されており、この取付溝５には、内輪２または外輪３が軸方向にずれることによって円筒ころ４が脱落するのを防止する止め輪６が嵌合されている。
【００１２】
図２は、止め輪６の正面図を示すものであり、図３は、図２の要部拡大図である。図２において、止め輪６は、無端環状に形成された環状部６ａと、この環状部６ａの外周面に形成された切欠部６ｂとを有している。
環状部６ａは、その外径Ｄ１が取付溝５の外径ｄ１（図１参照）と略同一となるように形成されているとともに、内径Ｄ２が取付溝５の内径ｄ２（図１参照）よりも小さくなるように形成されている。
【００１３】
切欠部６ｂは、環状部６ａの外周面に径方向へ窪むように形成されているとともに、環状部６ａの全周に亘って等間隔毎に複数（本実施の形態では１０個）形成されている。これにより、環状部６ａの径方向の厚みは、周方向において部分的に若干薄くなるため、止め輪６は径方向に撓み易くなっている。
【００１４】
また、切欠部６ｂは、図３に示すように、その深さＨが取付溝５の深さｈの５０〜１１０％となるように形成されている。なお、取付溝５の深さｈは、止め輪６の径方向の厚さ（Ｄ１−Ｄ２）の２５〜１５０％とされている。また、切欠部６ｂにおける止め輪６の径方向の厚さ（Ｄ３−Ｄ２）は、止め輪６の軸方向の幅Ｗ（図１参照）の５〜１０倍とされている。上記幅Ｗは、ころ軸受１の内径の大きさ（２００〜１０００ｍｍ）に応じて、０．２〜２．０ｍｍの間で設定される。
さらに、各切欠部６ｂの周方向長さＬを合計した合計長さΣＬ（Ｌ×１０）は、止め輪６の外周面の全周長さ（Ｄ１×π）の４５〜７５％とされている。
【００１５】
上記のように構成された本実施形態のころ軸受によれば、止め輪６は、無端環状に形成された環状部６ａを有しているため、従来のように止め輪の周方向の一部を切断する場合と比べると、止め輪６の剛性を高めることができる。このため、止め輪６がころ軸受１から外れるのを防止することができ、円筒ころ４がころ軸受１から脱落するのを効果的に防止することができる。
また、環状部６ａの外周面に径方向へ窪む複数の切欠部６ｂを形成しているため、止め輪６の径方向の厚みを部分的に薄くすることができる。したがって、止め輪６を取付溝５に嵌合させる際、止め輪６を径方向へ撓ませることにより、取付溝５に容易に組み付けることができる。
【００１６】
さらに、複数の切欠部６ｂの周方向の合計長さが、環状部６ａの外周面の全周長さの４５〜７５％とされているため、止め輪６の適正な剛性を確保しながら、止め輪６の組み付けをさらに容易に行うことができる。
【００１７】
なお、本発明は上記実施の形態のみに限定されるものではない。例えば、切欠部６ｂは、環状部６ａの外周面に形成されているが、環状部６ａの内周面に形成されるものであってもよい。
また、ころ軸受１は、円筒ころ軸受に限らず、円錐ころ軸受等の他の一般的なころ軸受に適用することも可能である。
【符号の説明】
【００１８】
１：ころ軸受、２：内輪、２ａ：軌道面、３：外輪、３ａ：軌道面、４：円筒ころ（ころ）、５：取付溝、６：止め輪、６ａ：環状部、６ｂ：切欠部
【図１】
2010286097.tif 000003
【図２】
2010286097.tif 000004
【図３】
2010286097.tif 000005